(57)【要約】【課題】二段積み重ね作業台の揺れやガタつきを極力抑えて二段積み重ね作業台を安定な状態に保持できるようにした作業台を提供する。【解決手段】天板１の下面側四隅部に脚柱を取り付けてなる一つの作業台Ｔ１の天板１上に他の作業台Ｔ２を積み重ね、上下両作業台Ｔ１，Ｔ２の上下に対応する脚柱２どうしを連結装置３により連結して二段積み重ね作業台Ｋを形成し、この二段積み重ね作業台Ｋの複数組を、天板１の桁側が対向する方向に所定間隔をおいて並置し、これら二段積み重ね作業台Ｋ，Ｋ間には、２本の連結杆９，９を、対向する下段側作業台Ｔ１の脚柱２，２どうしを連結するように架け渡し、対向する上段側作業台Ｔ２，Ｔ２の天板１，１どうしを連結用天板１０によって連結するようにしてなる。【選択図】図３
2010185258.tif 000002
【特許請求の範囲】
【請求項１】
天板の下面側四隅部に脚柱を取り付けてなる一つの作業台の天板上に他の作業台を積み重ね、上下両作業台の上下に対応する脚柱どうしを連結装置により連結して二段積み重ね作業台を形成し、この二段積み重ね作業台の複数組を、天板の桁側が対向する方向に所定間隔をおいて並置し、これら二段積み重ね作業台間には、２本の連結杆を、対向する下段側作業台の脚柱どうしを連結するように架け渡し、対向する上段側作業台の天板どうしを連結用天板によって連結するようにしてなる作業台。
【請求項２】
両二段積み重ね作業台の対向する下段側作業台間に架け渡した２本の連結杆に複数の鋼製布板を架け渡してなる請求項１に記載の作業台。
【請求項３】
両二段積み重ね作業台の対向する上段側作業台の天板どうしを連結する連結用天板は、複数の鋼製布板からなり、これら複数の鋼製布板の一つは、ハッチ式で梯子付きの鋼製布板からなるもので、その梯子は上端部が布板本体に枢着されていて、その下端部を、下段側作業台を連結する連結杆間に架け渡した鋼製布板上に支持させるようにしてなる請求項２に記載の作業台。
【請求項４】
各連結杆は連結杆固定具を介して各脚柱に固定され、この連結杆固定具は、脚柱の内側で連結杆を上方より嵌合させる嵌合凹部を有し、脚柱に固定される固定具本体と、前記嵌合凹部に嵌合した連結杆を固定具本体に固定するボルト又はピンとからなる請求項１〜３の何れかに記載の作業台。
【請求項５】
各連結杆には下段側作業台の脚柱と対応する箇所に、脚柱を作業台の内側から挟持する両側一対の側板からなる固定用金具を取り付け、この固定用金具の両側板で脚柱を挟んだ状態で両側板の先端部間にボルト又はピンを介挿することによって、連結杆を脚柱に固定するようにした請求項１〜３の何れかに記載の作業台。
【発明の詳細な説明】
【技術分野】
【０００１】
本発明は、一つの作業台の天板上に他の作業台を積み重ね、上下両作業台の上下に対応する脚柱どうしを連結装置により連結した積み重ね作業台を複数組間隔をおいて並置し、両積み重ね作業台の天板どうしを連結用天板で連結するようにした作業台に関する関するものである。
【背景技術】
【０００２】
本発明の出願人は、先に、作業台を上下二段に積み重ねて連結装置で連結した積み重ね作業台の天板どうしを連結用天板で連結するようにした作業台を提案している（特願２００７−３２０６７３）。
【発明の開示】
【発明が解決しようとする課題】
【０００３】
上記のように作業台を上下二段に積み重ねて連結装置で連結した積み重ね作業台の天板どうしを連結用天板で連結するようにした作業台においては、特に各作業台の脚柱が伸縮式の場合には積み重ね作業台の地上からの高さが可なり高くなるため、両積み重ね作業台の天板どうしが連結用天板によって連結されても、二段積み重ね作業台が揺れたりガタついたりして不安定な状態となり、上段側作業台や連結用天板上での作業を安全に行い難かった。
【０００４】
本発明は、上記のような事情に鑑み、二段積み重ね作業台の揺れやガタつきを極力抑えて二段積み重ね作業台を安定な状態に保持できるようにした作業台を提供することを目的としている。
【課題を解決するための手段】
【０００５】
上記課題を解決するための手段を、後述する実施形態の参照符号を付して説明すると、請求項１に係る発明は、天板１の下面側四隅部に脚柱を取り付けてなる一つの作業台Ｔ１の天板１上に他の作業台Ｔ２を積み重ね、上下両作業台Ｔ１，Ｔ２の上下に対応する脚柱２どうしを連結装置３により連結して二段積み重ね作業台Ｋを形成し、この二段積み重ね作業台Ｋの複数組を、天板１の桁側が対向する方向に所定間隔をおいて並置し、これら二段積み重ね作業台Ｋ，Ｋ間には、２本の連結杆９，９を、対向する下段側作業台Ｔ１の脚柱２，２どうしを連結するように架け渡し、対向する上段側作業台Ｔ２，Ｔ２の天板１，１どうしを連結用天板１０によって連結するようにしてなることを特徴とする。
【０００６】
請求項２は、請求項１に記載の作業台において、両二段積み重ね作業台Ｋ，Ｋの対向する下段側作業台Ｔ１，Ｔ１間に架け渡した２本の連結杆９，９に複数の鋼製布板１６を架け渡してなることを特徴とする。
【０００７】
請求項３は、請求項２に記載の作業台において、両二段積み重ね作業台Ｋ，Ｋの対向する上段側作業台Ｔ２，Ｔ２の天板１，１どうしを連結する連結用天板１０は、複数の鋼製布板１７，１８からなり、これら複数の鋼製布板１７，１８の一つは、ハッチ式で梯子１９付きの鋼製布板１８からなるもので、その梯子１９は上端部が布板本体２１側に枢着されていて、その下端部を、下段側作業台Ｔ１，Ｔ１を連結する連結杆９，９間に架け渡した鋼製布板１６上に支持させるようにしてなることを特徴とする。
【０００８】
請求項４は、請求項１〜３の何れかに記載の作業台において、各連結杆９は連結杆固定具３３を介して各脚柱２に固定され、この連結杆固定具３３は、脚柱２の内側で連結杆９を上方より嵌合させる嵌合凹部３４を有し、脚柱２に固定される固定具本体３５と、前記嵌合凹部３４に嵌合した連結杆９を固定具本体３５に固定するボルト３７又はピン４７とからなることを特徴とする。
【０００９】
請求項５は、請求項１〜３の何れかに記載の作業台において、各連結杆９には下段側作業台Ｔ１の脚柱２と対応する箇所に、脚柱２を作業台Ｔ１の内側から挟持する両側一対の側板１１ａ，１１ａからなる固定用金具１１を取り付け、両側板１１ａ，１１ａで脚柱２を挟んだ状態で両側板１１ａ，１１ａの先端部間にボルト１４又はピン５６を介挿することによって、連結杆９を脚柱２に固定するようにしたことを特徴とする。
【発明の効果】
【００１０】
上記解決手段による発明の効果を、後述する実施形態の参照符号を付して説明すると、請求項１に係る発明によれば、両二段積み重ね作業台Ｋ，Ｋの対向する下段側作業台Ｔ１，Ｔ１間に２つの連結杆９，９を架け渡して、対向する下段側作業台Ｔ１の脚柱２，２どうしを連結することにより、両二段積み重ね作業台Ｋ，Ｋは、作業台Ｔ１，Ｔ２の揺れやガタつきが極力抑えられ、きわめて安定な状態に保持され、従って上段側作業台Ｔ２の上や連結用天板１０の上での作業を安全に行うことができる。
【００１１】
請求項２に係る発明によれば、両二段積み重ね作業台Ｋ，Ｋの対向する下段側作業台Ｔ１，Ｔ１間に架け渡した２本の連結杆９，９に鋼製布板１６を複数架け渡すことによって、２本の連結杆９，９に架け渡した複数の鋼製布板１６を作業床として利用できるから、上段側作業台Ｔ２，Ｔ２の天板１，１間に連結用天板１０を連結する作業が容易且つ安全に行えると共に、その鋼製布板１６からなる作業床を資材置き場等の物置として使用することができ、きわめて有用となる。
【００１２】
請求項３に係る発明によれば、両二段積み重ね作業台Ｋ，Ｋの対向する上段側作業台Ｔ２，Ｔ２の天板１，１どうしを連結する連結用天板１０として、複数の鋼製布板１７，１８を使用し、これら複数の鋼製布板１７，１８の一つをハッチ式で梯子１９付き鋼製布板１８とすることにより、その梯子１９を鋼製布板１８から下ろして梯子１９の下端部を、下段側作業台Ｔ１，Ｔ１を連結する連結杆９，９間に架け渡した鋼製布板１６の上に支持させるようにするから、各二段積み重ね作業台Ｋの内部に梯子１９が取り付けられることになって、二段積み重ね作業台Ｋの外側から梯子を掛ける必要がなく、その梯子１９での昇り降りも容易且つ安全となる上に、二段積み重ね作業台Ｋの周辺に梯子掛け用の余分なスペースが不要となる。
【００１３】
請求項４に係る発明によれば、各連結杆９は、脚柱２の内側で連結杆９を上方より嵌合させる嵌合凹部３４を有し、脚柱２に固定される固定具本体３５と、前記嵌合凹部３４に嵌合した連結杆９を固定具本体３５に固定するボルト３７又はピン４７とからなる連結杆固定具３３を介して脚柱２に簡単容易に固定することができる。この場合、連結杆９として、一端部に連結ピン４３が取り付けられて継ぎ足し可能なものを使用することによって、複数組の二段積み重ね作業台Ｋが所定間隔で並置される場合の必要とする任意の長さに容易に対応可能となる。
【００１４】
請求項５に係る発明によれば、各固定用金具１１の両側板１１ａ，１１ａで脚柱２を挟み込んだ状態で両側板１１ａ，１１ａの先端部間にボルト１４又はピン５６を介挿することによって、連結杆９を下段側作業台Ｔ１の脚柱２に簡単容易に取り付け固定することができ、従って両二段積み重ね作業台Ｋ，Ｋの対向する下段側作業台Ｔ１，Ｔ１間に２つの連結杆９，９を架け渡して、両連結杆９，９を夫々固定用金具１１を介して下段側作業台Ｔ１，Ｔ１の脚柱２，２に固定することにより、両二段積み重ね作業台Ｋ，Ｋは、下段側作業台Ｔ１，Ｔ１の各連結杆９に沿って位置する４本の脚柱２，２，２，２どうしが当該連結杆９を介して互いに一体的に連結固定されるから、作業台Ｔ１，Ｔ２の揺れやガタつきを有効に抑え、きわめて安定な状態に保持できる。
【発明を実施するための最良の形態】
【００１５】
以下に本発明の好適な一実施形態を図面に基づいて説明すると、図１の(a) は一つの作業台Ｔ１の上に同じ構造の他の作業台Ｔ２を積み重ねた二段積み重ね作業台Ｋを妻側から見た正面図、(b) は二段積み重ね作業台を連結装置で連結した状態の正面図であり、図２の(a) は本発明に係る作業台Ｋを示す正面図、(b) は平面図であり、図３の(a) は図２に示す作業台Ｋを作業台の天板の桁側から見た正面図、(b) は(a) のＸ−Ｘ線断面図である。
【００１６】
上下各段の作業台Ｔ１，Ｔ２は、図１〜図３から分かるように、作業者が乗って作業を行う天板１と、この天板１の下面側の前後左右の四隅部に取り付けられた４本の脚柱２とからなり、そして下段側作業台Ｔ１の各脚柱２には、この作業台Ｔ１上に作業台Ｔ２を積み重ねた時に上下の作業台Ｔ１，Ｔ２の上下に対応する脚柱２どうしを連結する連結装置３が設けられている。この実施形態の各作業台Ｔ１，Ｔ２は、図３の(b) に示すように、左右二つに分割され、両分割天板部１ａ，１ａは、枢着部２０で枢着されていて、使用時の水平用姿勢から山形に二つ折り可能となっており、また各脚柱２は、伸縮可能であって使用状態から天板１の下面側に折り畳み可能となっているが、これに限るものではなく、天板１の二つ折りが不能で、各脚柱２が伸縮不能なものでもよい。また、各脚柱２の下端部にはキャスター４６が取り付けられている。
【００１７】
作業台Ｔ１の各脚柱２に設けてある連結装置３は、図４から分かるように、伸縮可能な脚柱２を構成する角形鋼管製主脚柱２ａの上端部に取り付けられる取付金具４と、この取付金具４に一端部５ａが上下方向回動可能に枢着される金属パイプ製のアーム５と、このアーム５の他端部５ｂに上下方向回動可能に枢着され、主脚柱２ａ内に伸縮自在に嵌挿された角形鋼管製伸縮脚柱２ｂに対し着脱自在なクランプ６とからなるもので、通常は、図１の(a) に示すように、アーム５を脚柱２と平行になるように下向きに折り畳んで、クランプ６を作業台Ｔ１の脚柱２の伸縮脚柱２ｂに取着することにより連結装置３を収納状態とし、そして図１の(b) に示すように、この作業台Ｔ１の上に他の作業台Ｔ２を積み重ねた時に、伸縮脚柱２ｂから外して、アーム５を上向きに１８０°回転し、そのクランプ６を上段側作業台Ｔ２の対応する脚柱２の伸縮脚柱２ｂの上端部に取着することによって連結装置３を連結状態とし、これにより上段側の作業台Ｔ２を下段側の作業台Ｔ１上の定位置に固定するようにしたものである。
【００１８】
上記連結装置３の取付金具４は、図４の(a) に示すように、金具本体部４ｏの一端側に設けられた筒状部４ａを脚柱２の伸縮脚柱２ｂの下端部に回転可能に嵌合して所定の回動位置で固定用ビスにより固定し、また他端部の連結部片４ｂをアーム５の一端部５ａに枢着ピン７によって枢着するようにしたものである。そしてクランプ６は、単管パイプを用いた鋼管足場の組み立てなどに使用される周知構造のパイプクランプからなるもので、図４の(a) ，(b) に簡単に示すように、アーム５の他端部５ｂに枢着ピン８により一端部が枢着されたクランプ本体部６ｏと、このクランプ本体部６ｏの他端部に連設された円弧状パイプ受け６ａの一端側に開閉自在に枢着された円弧状の掴持アーム６ｂと、円弧状パイプ受け６ａの他端側に枢着されて、掴持アーム６ｂの遊端部に取り付けられる締付ボルト６ｃとから構成される。
【００１９】
上記のような構成の作業台Ｔ１，Ｔ２を使用して図２及び図３に示すような作業台を組み立てるには、先ず、図１の(a) に示すように一つの作業台Ｔ１の上に他の作業台Ｔ２を積み重ね、下段側作業台Ｔ１の各脚柱２に設けてある連結装置３のクランプ６を外して、アーム５を上向きに１８０°回転し、そのクランプ６を上段側作業台Ｔ２の対応する脚柱２に取着することにより連結装置３を連結状態とし、これによって図１の(b) に示すような二段積み重ね作業台Ｋを形成する。
【００２０】
しかして、図２の(a) ，(b) に示すように、２組の二段積み重ね作業台Ｋ，Ｋを、天板１の桁側が対向する方向に所定間隔をおいて並置し、この２つの二段積み重ね作業台Ｋ，Ｋ間には、２本の連結杆９，９を、対向する下段側作業台Ｔ１の脚柱２どうしを連結するように架け渡し、その後に両二段積み重ね作業台Ｋ，Ｋの対向する上段側作業台Ｔ２，Ｔ２の天板１，１どうしを連結用天板１０によって連結する。
【００２１】
上記連結杆９について説明すると、この連結杆９は、丸鋼管からなる（図５参照）もので、図２の(a) に示すように、一方の二段積み重ね作業台Ｋの外端部から他方の二段積み重ね作業台Ｋの外端部に亘るような長さＬを有する。そして、各連結杆９には、図５に示すように、両二段積み重ね作業台Ｋ，Ｋの対向する下段側作業台Ｔ１，Ｔ１の脚柱２，２、２，２に対し夫々作業台Ｔ１の内側から挟み込んで固定するため固定用金具１１が、連結杆９の両端側に夫々２箇所ずつ取り付けられている。
【００２２】
各固定用金具１１は、図６及び図７に示すように、断面正方形角形主脚柱２ａの両側面の外法間隔Ｗ１より僅かに広い内法間隔Ｗ２を有する両側一対の側板１１ａ，１１ａと、両側板１１ａ，１１ａの奥側端部をつなぐ横板１１ｂとからなるもので、両側板１１ａ，１１ａの夫々先端部側にはボルト挿通孔１２が夫々設けてあり、片方の側板１１ａにはボルト挿通孔１２の外端部にナット１３が固着され、また各側板１１ａの後端面１１ａｏは円弧状に形成されていて、丸鋼管からなる連結杆９の外周面に溶接によって固着される。また、横板１１ｂは、左右両端部に突設した係合凸片ａを、側板１１ａの後端面１１ａｏに設けた係合凹部ｂに係合させた状態で側板１１ａに接合させることによって強固に接合される。
【００２３】
両二段積み重ね作業台Ｋ，Ｋの対向する下段側作業台Ｔ１，Ｔ１間に２つの連結杆９，９を架け渡すにあたっては、各連結杆９を、図３の(a) に示すように、両二段積み重ね作業台Ｋ，Ｋの対向する下段側作業台Ｔ１，Ｔ１の左右各端側に位置する２つの脚柱２，２に内側から接近させて、各連結杆９に設けてある各固定用金具１１を脚柱２に嵌合させ、しかして図７の(a) ，(b) に示すように固定用金具１１内に脚柱２を嵌め込んだ状態で、固定用金具１１の一方の側板１１ａのボルト挿通孔１２から、固定用ボルト１４を他方の側板１１ａのボルト挿通孔１２を通じてナット１３にねじ込んで締め付けることにより、連結杆９を固定用金具１１の両側板１１ａ，１１ａで挟着した状態に脚柱２の主脚柱２ａに固定する。尚、固定用ボルト１４は蝶ボルトからなる。
【００２４】
この際、固定用金具１１の両側板１１ａ，１１ａで連結杆９を挟着しただけでは連結杆９が下方へズレ落ちるおそれがあるため、図７の(a) 及び図４に示すように、連結杆９の取付位置である脚柱２の主脚柱２ａ下端部には、連結杆９を支持するストッパー（台座）１５を取り付けておく。尚、この実施形態においては、固定用金具１１を脚柱２に取り付けるのに、ボルト１４・ナット１３を使用しているが、このようなボルト１４・ナット１３に限らず、ピンを使用してもよい。即ち、固定用金具１１の両側板１１ａ，１１ａのボルト挿通孔１２，１２にはボルト１４に代えて、図７の(c) に示すようにピン５６を挿通すればよい。この場合、ピン５６の先端部には径方向に孔５７が穿設してあって、この孔５７にはコイルバネ５８を介して、球体からなるストッパー５９に嵌挿され、このストッパー５９は常時はピン５６の外周面から半分程度突出して、ピン５６の抜け出しを阻止しており、ピン５６の着脱時はコイルバネ５８に抗してストッパー５９を孔５７内に押し込むようにする。
【００２５】
上記のようにして両二段積み重ね作業台Ｋ，Ｋの対向する下段側作業台Ｔ１，Ｔ１間に２つの連結杆９，９を架け渡して、両連結杆９，９を夫々固定用金具１１によって下段側作業台Ｔ１，Ｔ１の脚柱２，２に固定することにより、両二段積み重ね作業台Ｋ，Ｋは、下段側作業台Ｔ１，Ｔ１の各連結杆９に沿って位置する４本の脚柱２，２，２，２どうしが当該連結杆９を介して互いに一体的に連結固定されるから、作業台Ｔ１，Ｔ２の揺れやガタつきが確実に抑えられ、きわめて安定な状態に保持される。
【００２６】
こうして両二段積み重ね作業台Ｋ，Ｋの対向する下段側作業台Ｔ１，Ｔ１間に２本の連結杆９，９を架け渡して連結した後、この２本の連結杆９，９には、図３の(a) に示すように複数枚の例えば３枚の鋼製布板（鋼製足場板）１６を架け渡す。各鋼製布板１６は、図３の(b) 及び図５の(d) から分かるように、布板本体１６ａの両端に夫々係止用フック１６ｂを一対ずつ取り付けたもので、そのフック１６ｂを連結杆９に係止させる。
【００２７】
その後に、両二段積み重ね作業台Ｋ，Ｋの対向する上段側作業台Ｔ２，Ｔ２の天板１，１どうしを連結用天板１０によって連結するわけであるが、この連結用天板１０の連結作業は、上記のように２本の連結杆９，９に架け渡した複数枚の鋼製布板１６を作業床として利用することで安全且つ容易に行うことができる。
【００２８】
連結用天板１０としては、図８の(a) に示すような鋼製布板１７を複数枚（実施形態では３枚）と、(b) に示すようなハッチ式で梯子１９付きの鋼製布板１８を１枚使用する。(a) に示す鋼製布板１７は、布板本体２１の両端部に夫々、水平片２２ａと垂直片２２ｂとからなる断面Ｌ字形を成して、上段側作業台Ｔ２の天板１の桁側端部に係合する連結部材２２を一体的に取り付け、水平片２２ａの両端部にストッパーピン挿入孔２３を設けてなるものである。
【００２９】
図８の(b) に示す鋼製布板１８は、布板本体２１の一端部側にハッチ（開口）２４を設けると共に、このハッチ２４を開閉する作業床２５を布板本体２１に枢着し、そして布板本体２１の端部下面側には梯子１９の上端部を、布板本体２１の下面側へ折り畳み可能に枢着してなるもので、他の構造については(a) に示す鋼製布板１７と全く同一構造である。梯子１９は、布板本体２１の下面側に折り畳まれて収納状態とされる。
【００３０】
上記鋼製布板１７，１８の取り付けにあたっては、これら鋼製布板１７，１８の各Ｌ字形連結部材２２を上段側作業台Ｔ２の天板１の桁側端部に係合して、水平片２２ａを天板１上に載置し、ストッパーピン２６をストッパーピン挿入孔２３から天板１に設けたピン孔２７に差し込めばよい。尚、天板１にはピン孔２７を特別に設けなくても、天板１に予め設けられている滑り止め孔２８（図２の(b) 参照）を利用して差し込むようにしてもよい。
【００３１】
そして、梯子１９付き鋼製布板１８を取り付ける際には、梯子１９を布板本体２１の下面側に折り畳まれた収納状態から図８の(b) に示すように下方へ回動して、その下端部を図２の(a) 、図３の(a) に示すように下段側作業台Ｔ１，Ｔ１を連結する連結杆９，９間に架け渡した鋼製布板１６上に支持させるようにする。この梯子１９は、図８の(b) には伸縮しない構造を図示しているが、図２の(a) 及び図３の(a) に示すように、梯子本体１９ａの下端部に伸縮部材１９ｂを連結して脚長を変更できる構造とすることができる。
【００３２】
上述したように、両二段積み重ね作業台Ｋ，Ｋの対向する下段側作業台Ｔ１，Ｔ１間に架け渡した２本の連結杆９，９に複数枚の鋼製布板１６を架け渡すことによって、２本の連結杆９，９に架け渡した鋼製布板１６を作業床できるから、上段側作業台Ｔ２，Ｔ２の天板１，１間に連結用天板１０を連結する作業が容易且つ安全に行えると共に、その鋼製布板１６からなる作業床を資材置き場等の物置として使用することができ、きわめて有用である。
【００３３】
また、両二段積み重ね作業台Ｋ，Ｋの対向する上段側作業台Ｔ２，Ｔ２の天板１，１どうしを連結する連結用天板１０として、複数の鋼製布板１７，１８を使用し、これら複数の鋼製布板１７，１８の一つをハッチ式で梯子１９付き鋼製布板１８とすることにより、その梯子１９を鋼製布板１８から下ろして梯子１９の下端部を、下段側作業台Ｔ１，Ｔ１を連結する連結杆９，９間に架け渡した鋼製布板１６の上に支持させるようにするから、各二段積み重ね作業台Ｋの内部に梯子１９が取り付けられることになって、二段積み重ね作業台Ｋの外側から梯子を掛ける必要がなく、その梯子１９での昇り降りも容易且つ安全となる上、二段積み重ね作業台Ｋの周辺に梯子掛け用の余分なスペースが不要となる。
【００３４】
尚、この実施形態の作業台では各作業台Ｔ１，Ｔ２に、天板１下面側の前端側及び後端側の夫々左右両端部に伸縮可能な左右両脚柱２，２が配設されているが、図４において、２９は左右両脚柱２，２の主脚柱２ａ，２ａを連結する連結部材で、この連結部材２９の下側に隣接してその左右各端部には、主脚柱２ａ内に伸縮自在に嵌挿された伸縮脚柱２ｂを所要伸縮位置で固定するストッパー杆３０が設けてあり、このストッパー杆３０は、手前側端部３０ａがＬ字状を成す把手を形成し、先端部３０ｂは、伸縮脚柱２ｂに一定ピッチで設けてある脚長調整孔（図示せず）に主脚柱２ａ側から突入するもので、常時はバネ３１，３２によって脚長調整孔に突入するように付勢されている。ストッパー杆３０は、連結部材２９の下側の左右対称位置に設けてあって、両ストッパー杆３０，３０の把手３０ａ，３０ａを同時に操作できるようになっている。
【００３５】
また前述した図４に示す構造の連結装置３は、あくまでも一例であって、連結装置３としてはこれに限るものではなく、上下両作業台Ｔ１，Ｔ２の上下に対応する脚柱２どうしを連結するものであれば、どのような構成の連結装置でもよい。
【００３６】
また、上述した実施形態では、図５及び図６に示すように連結杆９に固定用金具１１を取り付け、この固定用金具１１を介して連結杆９を下段側作業台Ｔ１の脚柱２に固定するようにしているが、図９〜図１２には、連結杆９を下段側作業台Ｔ１の脚柱２に固定するための連結杆固定具３３を示す。図９の(a) は下段側作業台Ｔ１の脚柱２（主脚柱２ａ）に取り付けた連結杆固定具３３に２本の連結杆９，９を固定した状態を示す平面図、(b) は(a) の矢印Ａで示す部分の正面図であり、(c) は(b) の矢印Ｂから見た側面図であり、図１０の(a) は連結杆固定具３３の拡大正面図、(b) は平面図、(c) は左側面図であり、図１１の(a) は連結杆９を示す平面図、(b) 及び(c) は端部用連結杆９ａ，９ｂを示す平面図であり、図１２の(a) は図９の(a) で示す部分の拡大図、(b) 及び(c) は図９の(b) 及び(c) の夫々拡大図である。
【００３７】
この連結杆固定具３３は、脚柱２の内側で連結杆９を上方より嵌合させる嵌合凹部３４を有する固定具本体３５と、前記嵌合凹部３４の下側に設けられたナット３６と、固定用ボルト３７とからなるもので、前記嵌合凹部３４に嵌合した連結杆９のボルト挿通孔４２にその上方から固定用ボルト３７を挿通させて前記ナット３６に螺合し締結することにより、連結杆９を固定するようになっている。固定用ボルト３７はノブボルトからなる。
【００３８】
上記連結杆固定具３３について詳しく説明すれば、固定具本体３５は、図１０に示すように、両側一対の側板部ａ，ａと両側板部ａ，ａをつなぐ連結板部ｂとで平面視略コ字状に形成されていると共に、両側板部ａ，ａの中間部に仕切板ｃが介装されていて、この仕切板ｃと連結板部ｂとの間に位置する両側板部ａ，ａの夫々上部側に正面視略半円形状の嵌合凹部３４が形成され、この両側板部ａ，ａの夫々下端部に亘って取付部材３８が固着され、この取付部材３８に前記ナット３６が取り付けられている。そして、固定具本体３５は、仕切板ｃを挟んで連結板部ｂと反対側の開放端部ｄを臨む空間部が脚柱嵌合部３９を形成し、この脚柱嵌合部３９を下段側作業台Ｔ１の脚柱２の主脚柱２ａ（図１０の(b) には主脚柱２ａを二点鎖線によるハッチングで示す）に嵌合させて、両側板部ａ，ａの夫々端部に設けたボルト挿通孔４０，４０に固定用ボルト４１を挿通し、一方のボルト挿通孔３９の外端部に固着したナット４５に螺入して締結することにより、固定具本体３５が脚柱２の主脚柱２ａに固定される。この固定用ボルト４１もノブボルトからなる。
【００３９】
この実施形態の連結杆９は、図１１の(a) に示すように所定長さに形成されたもので、その所定箇所には固定用ボルト３７が挿通する前記ボルト挿通孔４２が設けられており、またこの連結杆９の一端部には周知構造の連結杆接続用連結ピン４３が取り付けられている。この連結杆９を例えば２本接続する場合には、一方の連結杆９の一端部に取り付けてある連結ピン４３を他方の連結杆９の他端部に差し込むと、バネ付勢力により連結ピン４３の外周面から出没自在の係合突起（図示省略）が、連結杆９の他端部側に設けてある係合孔４４に係合して、両連結杆９，９どうしを接続する。両連結杆９，９を切り離す時は、係合孔４４に係合している係合突起をバネ付勢力に抗して内方へ押し込めばよい。
【００４０】
図１１の(b) ，(c) は端部接続用の連結杆９ａ，９ｃを示し、連結杆９ａは、図１１の(a) に示す連結杆９の一端部に取り付けてある連結ピン４３に嵌挿することにより接続され、また連結杆９ｂにはその一端部に、連結杆９の一端部にあるものと同じ連結ピン４３が取り付けてあって、この連結ピン４３を前記連結杆９の他端部に差し込むことによって接続されるようになっている。また、連結杆９ａの一端部には、連結杆９と同様に、固定用ボルト３７が挿通する前記ボルト挿通孔４２が設けられ、他端部には、前記係合突起が係脱する係合孔４４が設けられており、また連結杆９ｂには連結ピン４３と反対側端部に固定用ボルト３７が挿通するボルト挿通孔４２が設けてある。
【００４１】
前記連結杆固定具３３を下段側作業台Ｔ１の脚柱２に取り付ける時は、図１０の(a) 〜(c) 及び図１２(a) 〜(c) から分かるように、固定具本体３５の脚柱嵌合部３９を脚柱２の主脚柱２ａに嵌合させ、固定用ボルト（ノブボルト）４１を両側板部ａ，ａのボルト挿通孔４０，４０に挿通し、一方のボルト挿通孔３９の外端部のナット４５にねじ込んで締結することにより、連結杆固定具３３を脚柱２に固定する。尚、脚柱２に連結杆固定具３３を取り付け固定するにはボルト４１・ナット４５に限らず、ピンを使用してもよい。即ち、固定具本体３５の両側板部ａ，ａのボルト挿通孔４０，４０にはボルト４１に代え、図１２の(d) に示すようにピン５２を挿通すればよい。この場合、ピン５２の先端部には径方向に孔５３が穿設してあって、この孔５３にはコイルバネ５４を介して、球体からなるストッパー５５が嵌挿され、このストッパー５５は常時はピン５２の外周面から半分程度突出して、ピン５２の抜け出しを阻止しており、ピン５２の着脱時はコイルバネ５４に抗してストッパー５５を孔５３内に押し込むようにすればよい。
【００４２】
上記のようにして下段側作業台Ｔ１の脚柱２に取り付けた連結杆固定具３３に連結杆９を連結するには、所定間隔で並置された複数組の二段積み重ね作業台Ｋ間に２本の連結杆９，９を、対向する下段側作業台Ｔ１の脚柱２どうしを連結するように架け渡して、各連結杆９を、図１０の(a) の仮想線図示のように固定具本体３５の嵌合凹部３４に上方より嵌合させた後、図１２の(a) ，(b) に示すように、固定用ボルト３７を連結杆９のボルト挿通孔４２にその上方から挿通させて、嵌合凹部３４の下側に設けてあるナット３６に螺合し締結することにより、連結杆９を連結杆固定具３３に固定し、この連結杆固定具３３を介して連結杆９を下段側作業台Ｔ１の脚柱２に固定することができる。この場合、連結杆９は、一端部に連結ピン４３を取り付けて継ぎ足し可能となっているから、複数組の二段積み重ね作業台Ｋが所定間隔で並置される場合の必要とする任意の長さに容易に対応可能となる。
【００４３】
図９〜図１２によって説明した実施形態の連結杆固定具３３では、固定具本体３５の嵌合凹部３４に嵌合した連結杆９を固定具本体３５に固定させるために、嵌合凹部３４の下合にナット３６を取り付け、連結杆９には所定箇所にボルト挿通孔４２を設けておいて、連結杆９を固定具本体３５の嵌合凹部３４に嵌合させた状態で連結杆９のボルト挿通孔４２からその上方より固定用ボルト３７を挿通してナット３６に螺合し締結するようにしたが、このような固定用ボルト３７に代えて、固定用のピンを採用することができる。
【００４４】
この固定用ピンとしては、図１３にその一例を示すように、上下方向に延びるピン本体部４７ａとこれの上端部から曲折されて水平に延びるアーム部４７ｂとこれの先端部から下向きに突出する係止部４７ｃとからなる固定用ピン４７を使用し、このピン４７のピン本体部４７ａを、固定具本体３５の連結板部ｂに取り付けた取付部材４８のピン挿通孔４９に回転自在で上下スライド自在に挿通支持すると共に、ピン本体部４７ａの下端部に設けたストッパー５０と取付部材４８との間にコイルバネ５１を介装して、ピン本体部４７ａを常時下向きに付勢し、固定具本体３５の嵌合凹部３４に嵌合した連結杆９をアーム部４７ｂと係止部４７ｃとによって保持固定するようにしたもので、連結杆９を固定具本体３５の嵌合凹部３４に嵌め込んだり、それから取り外す時は、図１３の仮想線で示すように、コイルバネ５１の付勢力に抗して固定用ピン４７を引き上げて回転させ、アーム部４７ｂ側を固定具本体３５の外側方へ旋回移動させればよい。
【００４５】
上記のような固定用ボルト３７又は固定用ピン４７を有する連結杆固定具３３によれば、連結杆固定具３３の構造が簡単でありながら、連結杆９を簡単容易に固定することができる。
【００４６】
図９〜図１２によって説明した実施形態では、連結杆固定具３３を下段側作業台Ｔ１の脚柱２に取り付け固定した後、この連結杆固定具３３の嵌合凹部３４に連結杆９を嵌合させて固定用ボルト３７又は固定用ピン４７で固定するようにしたが、先に連結杆９に連結杆固定具３３を固定用ボルト３７又は固定用ピン４７で固定しておいて、この連結杆固定具３３を下段側作業台Ｔ１の脚柱２に取り付け固定するようにしてもよい。
【図面の簡単な説明】
【００４７】
【図１】(a) は一つの作業台の上に同じ構造の他の作業台を積み重ねた二段積み重ね作業台を妻側から見た正面図、(b) は二段積み重ね作業台を連結装置で連結した状態の正面図である。
【図２】(a) は本発明に係る作業台を示す正面図、(b) は平面図である。
【図３】(a) は図２に示す作業台を作業台の天板の桁側から見た正面図、(b) は(a) のＸ−Ｘ線断面図である。
【図４】図１の(a) の矢印Ｚで示す部分に相当する構造部分の拡大図である。
【図５】(a) は連結杆の平面図、(b) は正面図、(c) は端面図、(d) は図３の矢印Ｙで示す部分の拡大図である。
【図６】(a-1) は固定用金具の平面図、(a-2) は正面図、(a-3) は側面図、(b-1) は固定用金具の側板を示す正面図、(b-2) は側面図であり、(c-1)は横板の正面図、(c-2)は側面図である。
【図７】(a) は図２の(a) の矢印Ｖで示す部分の拡大図、(b) は(a) のＱ−Ｑ線断面図、(c) は固定用金具をピンによって脚柱に取り付け固定する例を示す(b) と同様な図面である。
【図８】(a) は連結用天板としての鋼製布板を示す斜視図、(b) はハッチ式で梯子付きの鋼製布板示す斜視図、(c) は図２の(a) の矢印Ｒで示す部分の拡大図である。
【図９】(a) は２本の連結杆を連結杆固定具によって下段側作業台の脚柱に固定する状態を示す平面図、(b) は(a) の矢印Ａで示す部分の正面図であり、(c) は(b) の矢印Ｂから見た側面図である。
【図１０】(a) は連結杆固定具の拡大正面図、(b) は平面図であり、(c) は左側面図である。
【図１１】(a) は連結杆を示す平面図、(b) 及び(c) は端部用連結杆を示す平面図である。
【図１２】(a) は図９の(a) で示す部分の拡大図、(b) 及び(c) は図９の(b)， (c) の夫々拡大図、(d) は連結杆固定具をピンによって脚柱に取り付け固定する例を示す(a) と同様な図面である。
【図１３】連結杆固定具において固定用ボルトに代えて固定用ピンを使用する場合の実施形態を示す説明図である。
【符号の説明】
【００４８】
Ｔ１，Ｔ２    作業台
１            天板
２            脚柱
３            連結装置
９            連結杆
１０          連結用天板
Ｋ            二段積み重ね作業台
３３          連結杆固定具
３７          固定用ボルト
４７          固定用ピン
【図１】
2010185258.tif 000003
【図２】
2010185258.tif 000004
【図３】
2010185258.tif 000005
【図４】
2010185258.tif 000006
【図５】
2010185258.tif 000007
【図６】
2010185258.tif 000008
【図７】
2010185258.tif 000009
【図８】
2010185258.tif 000010
【図９】
2010185258.tif 000011
【図１０】
2010185258.tif 000012
【図１１】
2010185258.tif 000013
【図１２】
2010185258.tif 000014
【図１３】
2010185258.tif 000015